(57)【要約】【課題】  表示情報の外部出力中に、不意にプライベート情報が外部出力される不都合を防止する。【解決手段】  メモリに記憶されている、各アプリケーションプログラムやいずれかのアプリケーションプログラムに基づいて表示処理される各表示情報に対して、外部に対して非公開であることを示すプライベート属性、或いは外部に対して公開可能であることを示すパブリック属性を設定しておく。制御部は、指定された表示情報を表示部に表示し、かつ、外部に出力している間に、例えば電話着信、メール着信等により他の表示情報を出力する必要性が生じた場合、上記他の表示情報に対して設定されている上記属性を検出する。そして、プライベート属性が設定されていた場合には、上記他の表示情報は上記表示部のみに表示し、パブリック属性が設定されていた場合には、上記他の表示情報は上記表示部に表示すると共に、外部に出力する。【選択図】  図３
2010283519.tif 000002
【特許請求の範囲】
【請求項１】
それぞれ所定の機能を実行するための複数のアプリケーションプログラム、及び上記いずれかのアプリケーションプログラムに基づいて表示される複数の表示情報が記憶されたメモリと、
上記メモリに記憶されている上記アプリケーションプログラム、及び／又は、上記各表示情報に対して、外部に対して非公開であることを示すプライベート属性、或いは外部に対して公開可能であることを示すパブリック属性を設定するための属性設定部と、
上記表示情報を表示するための表示部と、
上記メモリに記憶されている上記表示情報を外部のユーザに閲覧させるためのデバイスに出力するための外部出力部と、
上記メモリに記憶されている上記複数の表示情報のうち、外部のユーザに閲覧させるための所望の表示情報を指定操作するための操作部と、
上記操作部により、上記外部のユーザに閲覧させるための所望の表示情報が指定された際に、上記属性設定部により当該指定された表示情報に設定されている上記属性を検出し、この設定されている属性が上記パブリック属性であった場合のみ、上記指定された表示情報を出力するように上記外部出力部を出力制御すると共に、該指定された表示情報を上記表示部に出力制御し、この指定された表示情報の外部出力中に、上記いずれかのアプリケーションプログラムに対応する表示情報、或いは上記操作部を介して指定された上記メモリに記憶されている他の表示情報の出力を行う場合、当該アプリケーションプログラムに設定されている上記属性、或いは上記他の表示情報に設定されている上記属性を検出し、当該アプリケーションプログラム或いは上記他の表示情報に対して上記プライベート属性が設定されていた場合は、上記外部出力中の上記指定された表示情報のみを上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御し、当該アプリケーションプログラム或いは上記他の表示情報に対して上記パブリック属性が設定されていた場合は、当該アプリケーションプログラムに対応する上記表示情報、或いは上記他の表示情報を、上記外部出力中の上記指定された表示情報と共に上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御する制御部と
を有する携帯端末装置。
【請求項２】
上記操作部は、上記外部出力部を介して外部出力されている表示情報の、該外部出力の停止を指定するための外部出力停止ボタンを有し、
上記制御部は、上記外部出力停止ボタンによる外部出力停止操作を検出した際に、上記表示情報の外部出力を停止するように上記外部出力部を制御する
請求項１に記載の携帯端末装置。
【請求項３】
上記外部出力部は、上記表示情報に対応する投影光を投影するプロジェクタ装置である
請求項１又は請求項２に記載の携帯端末装置。
【請求項４】
メモリに記憶されている、それぞれ所定の機能を実行するための複数のアプリケーションプログラム、及び／又は、上記いずれかのアプリケーションプログラムに基づいて表示される複数の表示情報に対して、属性設定部が、外部に対して非公開であることを示すプライベート属性、或いは外部に対して公開可能であることを示すパブリック属性を設定するステップと、
上記メモリに記憶されている上記表示情報のうち、操作部を介して外部のユーザに閲覧させるための表示情報が指定された際に、制御部が、上記ステップにおいて上記属性設定部により当該指定された表示情報に設定されている上記属性を検出し、この設定されている属性が上記パブリック属性であった場合のみ、上記指定された表示情報を外部のユーザに閲覧させるためのデバイスに出力するための外部出力部を出力制御すると共に、該指定された表示情報を表示部に出力制御するステップと、
上記指定された表示情報の外部出力中に、上記いずれかのアプリケーションプログラムに対応する表示情報、或いは上記操作部を介して指定された上記メモリに記憶されている他の表示情報の出力を行う場合、制御部が、当該アプリケーションプログラムに設定されている上記属性、或いは上記他の表示情報に設定されている上記属性を検出し、当該アプリケーションプログラム或いは上記他の表示情報に対して上記プライベート属性が設定されていた場合は、上記外部出力中の上記指定された表示情報のみを上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御し、当該アプリケーションプログラム或いは上記他の表示情報に対して上記パブリック属性が設定されていた場合は、当該アプリケーションプログラムに対応する上記表示情報、或いは上記他の表示情報を、上記外部出力中の上記指定された表示情報と共に上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御するステップと
を有する表示情報の出力制御方法。
【請求項５】
メモリに記憶されている、それぞれ所定の機能を実行するための複数のアプリケーションプログラム、及び／又は、上記いずれかのアプリケーションプログラムに基づいて表示される複数の表示情報に対して、外部に対して非公開であることを示すプライベート属性、或いは外部に対して公開可能であることを示すパブリック属性を設定する属性設定部としてコンピュータを機能させ、
上記メモリに記憶されている上記表示情報のうち、操作部を介して外部のユーザに閲覧させるための表示情報が指定された際に、コンピュータを上記属性設定部として機能させることで当該指定された表示情報に設定されている上記属性を検出し、この設定されている属性が上記パブリック属性であった場合のみ、上記指定された表示情報を外部のユーザに閲覧させるためのデバイスに出力するための外部出力部を出力制御すると共に、該指定された表示情報を表示部に出力制御し、この指定された表示情報の外部出力中に、上記いずれかのアプリケーションプログラムに対応する表示情報、或いは上記操作部を介して指定された上記メモリに記憶されている他の表示情報の出力を行う場合、当該アプリケーションプログラムに設定されている上記属性、或いは上記他の表示情報に設定されている上記属性を検出し、当該アプリケーションプログラム或いは上記他の表示情報に対して上記プライベート属性が設定されていた場合は、上記外部出力中の上記指定された表示情報のみを上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御し、当該アプリケーションプログラム或いは上記他の表示情報に対して上記パブリック属性が設定されていた場合は、当該アプリケーションプログラムに対応する上記表示情報、或いは上記他の表示情報を、上記外部出力中の上記指定された表示情報と共に上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御する制御部としてコンピュータを機能させる
表示情報の出力制御プログラム。
【発明の詳細な説明】
【技術分野】
【０００１】
本発明は、表示情報の表示機能、及び該表示情報の外部出力機能を備えた、例えば携帯電話機、ＰＨＳ電話機（PHS：Personal Handyphone System）、ＰＤＡ装置（PDA：Personal Digital Assistant）、携帯ゲーム機、デジタルカメラ装置、携帯型の動画撮像装置等の携帯機器に適用して好適な携帯端末装置、表示情報の出力制御方法、及び表示情報の出力制御プログラムに関する。
特には、外部に対して非公開であることを示すプライベート属性、或いは外部に対して公開可能であることを示すパブリック属性を表示情報に対して設定しておき、該表示情報を外部出力する際に、上記パブリック属性が設定されている表示情報のみ、その外部出力を行うことで、プライベートな表示情報が外部出力される不都合を防止した携帯端末装置、表示情報の出力制御方法、及び表示情報の出力制御プログラムに関する。
【背景技術】
【０００２】
今日において広く普及している携帯電話機は、電話帳機能、電子メール機能、カメラ機能等の多種多様の機能が設けられており、電話番号、氏名、住所、写真等の多くのプライベート情報が記憶されたものとなっている。このため、このようなプライベート情報を保護する必要性が生じている。
【０００３】
特開２００７−２４３６７８号の公開特許公報には、予め登録した写真等を不必要に第三者に見せることを防止してプライバシーを保護する端末保持者のプライバシー保護端末装置が開示されている。このプライバシー保護端末装置の場合、非プライバシーモードが設定されている場合には、当該端末への着信時に、アドレス帳に登録されている発信者の写真等を表示するのであるが、プライバシーモードが設定されている場合には、この発信者の写真等に代えて、発信者を特定できない画像等の表示を行う。これにより、プライバシーモードが設定されている場合には、アドレス帳に登録されている発信者の写真等を不必要に第三者に見せることを防止することができ、当該プライバシー保護端末装置を所持しているユーザのプライバシーを保護することができる。
【先行技術文献】
【特許文献】
【０００４】
【特許文献１】特開２００７−２４３６７８号公報
【発明の概要】
【発明が解決しようとする課題】
【０００５】
ここで、携帯電話機には、大きな表示画面のメイン表示部や小さな表示画面の補助表示部の他、赤外線通信ユニット、非接触無線通信ユニット、近距離無線通信ユニット、外部インターフェイス部等の複数の出力デバイスが設けられており、このような出力デバイスを介して表示情報の出力が可能となっている。
【０００６】
このため、今後、例えば上記メイン表示部及び補助表示部に対してそれぞれ所望の画像や資料等の表示情報を表示し、メイン表示部に表示されている表示情報は、当該携帯電話機の所有者となっているユーザが閲覧し、補助表示部に表示されている表示情報は、当該携帯電話機の所有者以外のユーザが閲覧するプレゼンテーション等の使用形態で、当該携帯電話機が使用されることが予想される。
【０００７】
或いは、上記メイン表示部に表示している表示情報を、外部インターフェイス部を介して外部のモニタ装置に表示し、メイン表示部に表示されている表示情報は、当該携帯電話機の所有者となっているユーザが閲覧し、補助表示部に表示されている表示情報は、当該携帯電話機の所有者以外のユーザが閲覧する使用形態で、当該携帯電話機が使用されることが予想される。
【０００８】
このような表示情報の外部出力を行う使用形態で携帯電話機を使用する場合、当該携帯電話機の所有者となっているユーザは、常に、外部出力している表示情報を確認可能であることが好ましい。
【０００９】
また、表示情報の上記外部出力中に、例えば電子メールの着信や電話着信があった場合や誤操作等により、電子メールの文章や、送信元のユーザのアドレス情報や顔写真等のプライベート情報が不意に外部出力される不都合を防止する必要がある。
【００１０】
本発明は、上述の課題に鑑みてなされたものであり、外部出力している表示情報を常に確認することができ、また、表示情報の上記外部出力中に、不意にプライベート情報が外部出力される不都合を防止することができるような携帯端末装置、表示情報の出力制御方法、及び表示情報の出力制御プログラムの提供を目的とする。
【課題を解決するための手段】
【００１１】
本発明は、上述の課題を解決するために、
それぞれ所定の機能を実行するための複数のアプリケーションプログラム、及び上記いずれかのアプリケーションプログラムに基づいて表示される複数の表示情報が記憶されたメモリと、
上記メモリに記憶されている上記アプリケーションプログラム、及び／又は、上記各表示情報に対して、外部に対して非公開であることを示すプライベート属性、或いは外部に対して公開可能であることを示すパブリック属性を設定するための属性設定部と、
上記表示情報を表示するための表示部と、
上記メモリに記憶されている上記表示情報を外部のユーザに閲覧させるためのデバイスに出力するための外部出力部と、
上記メモリに記憶されている上記複数の表示情報のうち、外部のユーザに閲覧させるための所望の表示情報を指定操作するための操作部と、
上記操作部により、上記外部のユーザに閲覧させるための所望の表示情報が指定された際に、上記属性設定部により当該指定された表示情報に設定されている上記属性を検出し、この設定されている属性が上記パブリック属性であった場合のみ、上記指定された表示情報を出力するように上記外部出力部を出力制御すると共に、該指定された表示情報を上記表示部に出力制御し、この指定された表示情報の外部出力中に、上記いずれかのアプリケーションプログラムに対応する表示情報、或いは上記操作部を介して指定された上記メモリに記憶されている他の表示情報の出力を行う場合、当該アプリケーションプログラムに設定されている上記属性、或いは上記他の表示情報に設定されている上記属性を検出し、当該アプリケーションプログラム或いは上記他の表示情報に対して上記プライベート属性が設定されていた場合は、上記外部出力中の上記指定された表示情報のみを上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御し、当該アプリケーションプログラム或いは上記他の表示情報に対して上記パブリック属性が設定されていた場合は、当該アプリケーションプログラムに対応する上記表示情報、或いは上記他の表示情報を、上記外部出力中の上記指定された表示情報と共に上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御する制御部と
を有する。
【００１２】
このような本発明は、メモリに記憶されている、それぞれ所定の機能を実行するための複数のアプリケーションプログラム、及び／又は、上記いずれかのアプリケーションプログラムに基づいて表示される複数の表示情報に対して、属性設定部が、外部に対して非公開であることを示すプライベート属性、或いは外部に対して公開可能であることを示すパブリック属性を設定する。
【００１３】
操作部を介して、メモリに記憶されている表示情報のうち、外部のユーザに閲覧させるための表示情報が指定されると、制御部は、上記属性設定部により当該指定された表示情報に設定されている上記属性を検出し、この設定されている属性が上記パブリック属性であった場合のみ、上記指定された表示情報を外部のユーザに閲覧させるためのデバイスに出力するための外部出力部を出力制御すると共に、該指定された表示情報を表示部に出力制御する。
【００１４】
これにより、本発明が適用された機器のユーザは、上記表示部に表示されている上記指定した表示情報を閲覧し、他のユーザは、上記外部出力部を介して出力された表示情報を閲覧する状態となる。
【００１５】
このような上記指定された表示情報の外部出力中に、上記いずれかのアプリケーションプログラムに対応する表示情報、或いは上記操作部を介して指定された上記メモリに記憶されている他の表示情報の出力を行う場合、制御部は、当該アプリケーションプログラムに設定されている上記属性、或いは上記他の表示情報に設定されている上記属性を検出する。
【００１６】
そして、当該アプリケーションプログラム或いは上記他の表示情報に対して上記プライベート属性が設定されていた場合は、上記外部出力中の上記指定された表示情報のみを上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御する。
【００１７】
これにより、プライベート属性が設定されているアプリケーションプログラムに対応する上記表示情報、或いは上記他の表示情報は、外部出力されることなく、本発明が適用された機器のユーザが閲覧している上記表示部に対してのみ出力されるため、本発明が適用された機器のユーザのプライベート情報が外部出力される不都合を防止することができる。
【００１８】
これに対して、上記アプリケーションプログラム或いは上記他の表示情報に対して上記パブリック属性が設定されていた場合は、当該アプリケーションプログラムに対応する上記表示情報、或いは上記他の表示情報を、上記外部出力中の上記指定された表示情報と共に上記外部に出力するように上記外部出力部を出力制御すると共に、当該アプリケーションプログラムに対応する上記表示情報、或いは上記他の表示情報を、上記外部出力中の上記指定された表示情報と共に上記表示部に出力制御する。
【００１９】
これにより、パブリック属性が設定されているアプリケーションプログラムに対応する上記表示情報、或いは上記他の表示情報は、本発明が適用された機器のユーザが閲覧している上記表示部に対して出力されると共に、上記外部出力部を介して外部出力されるため、本発明が適用された機器のユーザ及び他のユーザで、上記パブリック属性が設定されているアプリケーションプログラムに対応する上記表示情報、或いは上記他の表示情報を閲覧可能とすることができる。
【００２０】
そして、上記外部出力される表示情報は、本発明が適用された機器のユーザが閲覧している上記表示部に対して常に表示されるため、該本発明が適用された機器のユーザは、外部出力している表示情報を常に確認可能とすることができる。
【発明の効果】
【００２１】
本発明は、本発明を適用した機器のユーザが、外部出力している表示情報を常に確認することができ、また、表示情報の外部出力中に、不意にプライベート情報が外部出力される不都合を防止することができる。
【図面の簡単な説明】
【００２２】
【図１】本発明を適用した実施例となる携帯電話機の開状態時を示す図である。
【図２】実施例となる携帯電話機のブロック図である。
【図３】実施例となる携帯電話機の属性設定動作を説明するための図である。
【図４】実施例となる携帯電話機の属性設定動作の他の例を説明するための図である。
【図５】実施例となる携帯電話機の表示情報の出力制御動作を説明するためのフローチャートである。
【図６】実施例となる携帯電話機の第１及び第２の各表示部に対して表示情報を出力する際の、該表示情報の出力制御動作を説明するためのフローチャートである。
【図７】実施例となる携帯電話機の第１の表示部及びプロジェクタに対して表示情報を出力する際の、該表示情報の出力制御動作を説明するためのフローチャートである。
【図８】実施例となる携帯電話機の第１の表示部及び外部インターフェイス部に対して表示情報を出力する際の、該表示情報の出力制御動作を説明するためのフローチャートである。
【図９】実施例となる携帯電話機の第１の表示部及び近距離無線通信ユニットに対して表示情報を出力する際の、該表示情報の出力制御動作を説明するためのフローチャートである。
【図１０】実施例となる携帯電話機の第１の表示部及び赤外線通信ユニットに対して表示情報を出力する際の、該表示情報の出力制御動作を説明するためのフローチャートである。
【図１１】実施例となる携帯電話機の第１及び第２の各表示部に対して表示情報を出力する際の、当該携帯電話機の使用形態を説明するための図である。
【図１２】実施例となる携帯電話機の第１及び第２の各表示部に対して表示情報を出力する際の、該各表示部に対する表示形態の一例を示す図である。
【図１３】実施例となる携帯電話機の第１の表示部及びプロジェクタに対して表示情報を出力する際の、当該携帯電話機の使用形態を説明するための図である。
【図１４】実施例となる携帯電話機の第１の表示部及び外部モニタ装置に対して表示情報を出力する際の、当該携帯電話機の使用形態を説明するための図である。
【発明を実施するための形態】
【００２３】
本発明は、折り畳み型の携帯電話機に適用することができる。
【００２４】
［携帯電話機の外観構成］
まず、図１（ａ）に、開状態としたこの実施例となる携帯電話機を非露出面側から見た図を、図１（ｂ）に、開状態としたこの実施例となる携帯電話機を露出面側から見た図を、それぞれ示す。
【００２５】
この図１（ａ），（ｂ）からわかるように、この携帯電話機は、上筐体１の下端部１ｂ及び下筐体２の上端部２ａをヒンジ部３を介して相互に回動可能に接続して形成されている。
【００２６】
上筐体１の非露出面１ａ側（＝当該携帯電話機を閉状態とした際に下筐体２と相対向する面側）には、図１（ａ）に示すように、この非露出面１ａの面積よりも若干小さめの面積の第１の表示部４が設けられている。また、この上筐体１の非露出面１ａには、当該上筐体１の上端部１ｃ近傍に受話音声を出力するためのスピーカ部５と、テレビ電話による通話を行う場合等に、当該携帯電話機を使用しているユーザの顔等を撮像するための、いわゆる自分撮り用のカメラ部である補助カメラ部６が設けられている。さらに、この上筐体１には、上端部１ｃ近傍に赤外線通信用の赤外線通信ユニット７が設けられている。
【００２７】
また、図１（ｂ）に示すように、上筐体１の露出面１ｄ側（＝非露出面１ａに対して反対側となる面側）には、上記非露出面１ａ側に設けられている上記第１の表示部４と略々同じ大きさの第２の表示部１０が設けられている。すなわち、この携帯電話機の場合、上筐体１の非露出面１ａ側及び露出面１ｄ側に、それぞれ同じ大きさの大きな表示部４、１０が設けられている。
【００２８】
次に、図１（ａ）に示すように、下筐体２の非露出面２ｂ側（＝当該携帯電話機を閉状態とした際に上筐体１と相対向する面側）には、この非露出面２ｂの略全体にわたって複数の操作キーを備えた操作部８が設けられている。また、この下筐体２の非露出面１ｂには、当該下筐体２の下端部２ｃ近傍に送話用のマイクロホン部９が設けられている。
【００２９】
また、図１（ｂ）に示すように、下筐体２の露出面２ｄ側（＝非露出面２ｂに対して反対側となる面側）には、当該下筐体２の上端部２ａ近傍に、該下筐体２の短手方向に沿って、所望の被写体の静止画像或いは動画を撮像するためのメインカメラ部１１、及びプロジェクタ装置１２が並設されている。
【００３０】
さらに、図示はされていないが、下筐体２の下端部２ｃには、当該下筐体２内に収納されたバッテリを充電するためのバッテリ充電端子１３と、当該携帯電話機のメモリに記憶されている各種情報を外部出力するための外部インターフェイス部１４（外部ＩＦ）が、当該下筐体２の短手方向に沿って並設されている。
【００３１】
［携帯電話機の電気構成］
次に、図２に、この実施例となる携帯電話機のブロックを示す。この図２に示すプロジェクタ１２は、例えば前面投影型のプロジェクタとなっており、投影する元画像を表示する液晶パネル、その液晶パネルに投影光を照射する光源、及び液晶パネル上に表示された投影元画像をスクリーン等に投影させるための投影光学系等を備えている。
【００３２】
なお、プロジェクタを投影方式で大別すると、液晶方式とＤＬＰ（Digital Light Processing）方式との２つの方式があるが、上記プロジェクタ１２としては、これら何れの方式であっても良い。
【００３３】
第１の表示部４は、上記上筐体１の非露出面１ａ側に設けられた表示部であり、液晶表示部（LCD:Liquid Crystal Display）、或いは有機ＥＬ（OEL：Organic Electro Luminescence）で形成されている。また、第２の表示部１０は、上記上筐体１の露出面１ｄ側に設けられた表示部であり、上記第１の表示部４と同様に、液晶表示部（LCD:Liquid Crystal Display）、或いは有機ＥＬ（OEL：Organic Electro Luminescence）で形成されている。発光部２１（ＬＥＤ：発光ダイオード）は、例えば着信ランプや上記操作部８の照明ランプ等の、当該携帯電話機に備えられている各種照明光源である。
【００３４】
加速度センサ２２は、当該携帯電話機に物理的な振動が加えられた時に、その振動の加速度の大きさ及び向きを検出する。ジャイロセンサ２３は、この携帯電話機に物理的な振動が加えられた時に、その振動による回転方向の角速度と回転角度を検出する。照度センサ２４は、この携帯電話機の周囲環境の明るさを検出する。
【００３５】
スピーカ部５は、上筐体１の上端部１ｃ近傍に設けられた受話音声出力用のスピーカ部である。マイクロホン部９は、下筐体２の下端部２ｃ近傍に設けられた送話音声出力用のマイクロホン部である。
【００３６】
外部インターフェイス部１４（外部ＩＦ）は、各種外部コネクタとその外部コネクタとの間で信号等を行うための外部接続部からなる。なお、上記外部コネクタにはいわゆるＵＳＢ２．０（Universal Serial Bus 2.0）規格のコネクタが含まれている。このため、当該携帯電話機は、ＵＳＢ２．０コントローラ２５も備えている。
【００３７】
ＵＳＩＭカードスロット２６は、当該携帯電話機の通信事業者の加入者情報（契約者情報）等が記憶されたいわゆるＵＳＩＭ（Universal Subscriber Identity Module）カードが装着されるＩＣカードスロットである。
【００３８】
振動モータ２７は、例えば発着信時等に当該携帯電話機の筐体を振動を発生させて、ユーザに発着信等を知らせるための、いわゆるバイブレータである。バッテリ２８は、当該携帯電話機の各部で使用する電力供給用の電源である。周辺ＩＣ＋電源ＩＣ２９は、上記ＵＳＩＭカードスロット２６、振動モータ２７、バッテリ２８、外部インターフェース１４と接続されており、これら各部の制御や信号処理の他、バッテリ２８の充電制御、及び各部に対する電力供給制御等を行う。
【００３９】
メインカメラ１１は、下筐体２の露出面２ｄ側に設けられたカメラ部であり、撮影光学系や撮像デバイス等からなる。補助カメラ部６は、上筐体１の非露出面１ａの上端部１ｃ近傍に設けられたカメラ部であり、上述のようにテレビ電話による通話の際にユーザ自身を撮影する際等に用いられる。
【００４０】
通信回路３０は、当該携帯電話機が、携帯電話網の無線基地局と通信する際の無線通信用回路である。アンテナ３１は、当該携帯電話機が無線基地局と無線通信を行う際の無線通信アンテナである。
【００４１】
非接触無線通信ユニット３２は、いわゆる電磁誘導方式により、外部のリーダライタ装置との間で、例えば通信距離が５０ｃｍ程度の非接触無線通信を行う。近距離無線通信ユニット３３は、例えばブルートゥース（Ｂｌｕｅｔｏｏｔｈ：登録商標）等の近距離無線通信方式により、通信距離が１０ｍ程度の近距離無線通信を行う。赤外線通信ユニット３４は、通信距離が数ｍ程度の赤外線無線通信を行う
メモリカードスロット３５は、例えばいわゆるＳＤ（Secure Digital）カード等の外部メモリカードが着脱されるスロットである。メモリカードコントローラ３６は、メモリカードスロット３５に装着されたメモリカードに対するデータの書き込み／読み出し等の制御及び信号処理を行う。
【００４２】
操作部８は、上述のように下筐体２の非露出面２ｂ側に設けられた操作部となっている。内部メモリ３７は、例えばＤＤＲ  ＳＤＲＡＭ（Double Data Rate SDRAM）３８と、ＮＡＮＤ型フラッシュメモリ（NAND-type flash memory）３９とを有してなる。上記ＮＡＮＤ型フラッシュメモリ３９には、ＯＳ（Operating System）のプログラムや制御部４０が各部を制御するための制御プログラム、後に説明する表示情報の出力制御プログラム、プロジェクタ１２の投影制御プログラム等の各種のアプリケーションプログラム、圧縮符号化された楽曲・動画像・静止画データコンテンツの他、各種の設定値、フォントデータ、各辞書データ、機種名情報、端末識別情報等が記憶される。さらに、このＮＡＮＤ型フラッシュメモリ３９には、各ユーザの電話番号、電子メールアドレス、住所、氏名、顔写真等が登録された電話帳や、送受信した電子メール、当該携帯電話機のユーザのスケジュールが登録されたスケジュール帳等が記憶される。ＤＤＲ  ＳＤＲＡＭ３８は、制御部４０が各種のデータ処理や演算を行う際の作業領域として、随時データを記憶する。
【００４３】
制御部４０は、通信制御、音声処理及びその制御、画像処理及びその制御、その他各種信号処理や各部の制御等を行う。また、制御部４０は、内部メモリ３７に記憶されている各種の制御プログラムやアプリケーションプログラムの実行及びそれに付随する各種データ処理等を行う。なお、この図２には図示を省略しているが、当該実施例の携帯電話機は、一般的な携帯電話機が備える各構成要素についても当然ながら備えているものと理解されたい。
【００４４】
［実施例の携帯電話機の動作］
次に、このような構成を有する当該実施例の携帯電話機は、所望のアプリケーションプログラム、及び所望の写真や資料等の表示情報に対して、外部に対して非公開であることを示すプライベート属性、或いは外部に対して公開可能であることを示すパブリック属性を予め設定しておくことで、表示情報の外部出力中に、不意にプライベート情報が外部出力される不都合を防止可能となっている。
【００４５】
〔属性設定動作〕
まず、この携帯電話機においては、所望のアプリケーションプログラム、及び（又は）所望の写真や資料等の表示情報に対して、外部に対して非公開であることを示すプライベート属性、或いは外部に対して公開可能であることを示すパブリック属性の設定を行う。
【００４６】
この属性の設定を行う場合、ユーザは当該携帯電話機の設定メニューの各種設定項目の中から、「属性設定メニュー（プロパティ設定メニュー）」を選択するように操作部８を操作する。この属性設定メニュー（プロパティ設定メニュー）の選択操作がなされると、制御部４０は、ＮＡＮＤ型フラッシュメモリ３９に記憶されている表示情報の出力制御プログラムに基づいて、例えば図３（ａ）に示す属性設定を行う機能の選択画面を、所望の機能の選択指定を行うためのカーソルＣＲと共に第１の表示部４に表示する。
【００４７】
この図３（ａ）に示す例は、上記選択画面に対して、着信電話処理機能、送信電話処理機能、着信メール処理機能、送信メール処理機能、電話帳機能、スケジュール機能（スケジュール帳）、写真フォルダ機能、動画フォルダ機能等の各機能が表示された例を示している。
【００４８】
制御部４０は、この選択画面に対して、表示可能な情報である表示情報の情報処理を行う機能を表示するようになっている。すなわち、制御部４０は、電話着信があった場合、この電話の着信信号に含まれる当該電話の送信元となる携帯電話機（或いは固定電話機）の電話番号を抽出すると共に、この抽出した送信元の電話番号に基づいて、ＮＡＮＤ型フラッシュメモリ３９に記憶されている電話帳を参照する。そして、抽出した送信元の電話番号が上記電話帳に登録されている場合、該送信元の電話番号に対応するユーザの氏名や顔写真等を、当該電話が着信している間、第１の表示部４に表示制御するようになっている。このように、着信電話処理機能は、電話帳に登録されている上記送信元の電話番号に対応するユーザの氏名や顔写真等の表示情報の情報処理を行う機能であるため、制御部４０は、この着信電話処理機能を上記選択画面に表示する。なお、制御部４０は、同様の理由により、送信電話処理機能、着信メール処理機能、送信メール処理機能も上記選択画面に表示する。
【００４９】
また、上記電話帳には、上述のように各ユーザの電話番号、氏名、電子メールアドレス等の表示情報が登録されており、スケジュール帳には、ユーザのスケジュールの実行開始時刻、実行終了時刻、実行場所等の表示情報が登録されているため、制御部４０は、電話帳機能及びスケジュール機能を、共に上記選択画面に表示する。
【００５０】
また、写真フォルダには、メインカメラ部１１で撮像された写真（静止画像）等の表示情報が記憶されており、また、動画フォルダには、メインカメラ部１１で撮像された動画像等の表示情報が記憶されているため、制御部４０は、写真フォルダ機能、及び動画フォルダ機能を、共に上記選択画面に表示する。
【００５１】
なお、この図３（ａ）に示す上記選択画面に表示する機能は一例である。表示情報を取り扱う機能であれば、この選択画面に表示されるものと理解されたい。
【００５２】
次に、ユーザは、操作部８に設けられている上下キーや回転操作キーを操作することで図３（ａ）に示すカーソルＣＲを、当該属性の設定を行う機能名の表示位置に移動操作し、該操作部の決定キーを操作する。この決定キーの操作がなされると、制御部４０は、現在、カーソルＣＲが位置している機能に対する上記属性の設定画面を表示する。
【００５３】
例えば、図３（ａ）に示す上記属性の設定を行う機能の選択画面において、ユーザにより着信メール機能が選択された場合、制御部４０は、図３（ｂ）に示すように、着信メール機能に対する上記属性の設定画面を第１の表示部４に表示する。制御部４０は、この属性の設定画面として、現在設定されている属性（＝現在の設定）、上記パブリック属性の設定指定項目、上記プライベート属性の設定指定項目等を表示する。
【００５４】
ユーザは、カーソルＣＲを移動操作することで、所望の属性を示す設定指定項目を選択し、決定キーを押圧操作する。この決定キーを押圧操作を検出すると、制御部４０は、上記選択画面で選択された機能に対して、上記設定画面で選択された属性を設定する。
【００５５】
すなわち、図３（ｂ）は、着信メール機能に対する属性の設定画面であるが、現在、この着信メール機能に対してパブリック属性が設定されており、この図３（ｂ）に示す設定画面においてプライベート属性が選択された場合、制御部４０は、着信メール機能に対して設定されている属性を、上記パブリック属性からプライベート属性に変更して設定し、例えば図３（ｃ）に示すような、属性の設定が完了した機能、及び設定された属性を通知するための設定完了画面を第１の表示部４に表示する。
【００５６】
さらに詳しく説明すると、ＮＡＮＤ型フラッシュメモリ３９には、各機能名及び各表示情報名と、該各機能或いは各表示情報に設定されている属性を示す属性情報とが関連付けられて記憶された属性設定テーブルが設けられている。制御部４０は、その機能、或いは表示情報に対してパブリック属性が設定されている場合は、上記属性設定テーブルに対して「０」の属性情報を登録し、その機能、或いは表示情報に対してプライベート属性が設定されている場合は、上記属性設定テーブルに対して「１」の属性情報を登録する。制御部４０は、上記属性設定テーブルに登録されている各機能、或いは各表示情報の属性情報を、ユーザの設定操作に応じて書き換え制御する。
【００５７】
このような属性設定における他の例を説明すると、図３（ｄ）〜図３（ｆ）は、写真フォルダ機能で管理される写真フォルダに記憶されている各写真に対して属性設定を行った場合の例である。すなわち、上記選択画面で図３（ｄ）に示すように写真フォルダ機能が選択されると、制御部４０は、図３（ｅ）に示すように、上記設定画面に対して、この写真フォルダ機能で管理される写真フォルダに記憶されている各写真の表題又は（及び）サムネイル画像、及び該各写真に対して現在設定されている属性の一覧を表示する。ユーザは、カーソルＣＲを移動操作することで、この設定画面に表示された上記一覧から、属性の設定を行う写真を選択する。
【００５８】
この選択がなされると、制御部４０は、図３（ｂ）に示したように、上記属性の設定画面として、上記選択された写真に対して現在設定されている属性、上記パブリック属性の設定指定項目、上記プライベート属性の設定指定項目等を表示する。そして、この属性の設定画面に基づいて、ユーザにより、上記パブリック属性が指定された場合は、上記属性設定テーブルに登録されている、上記選択された写真の属性としてパブリック属性を登録し、ユーザにより、上記プライベート属性が指定された場合は、上記属性設定テーブルに登録されている、上記選択された写真の属性としてプライベート属性を登録し、図３（ｆ）に示すような設定完了画面を第１の表示部４に表示する。なお、この図３（ｆ）に示す例は、写真３の属性をプライベート属性からパブリック属性に変更して設定した例である。
【００５９】
さらに、属性設定における他の例を説明すると、図４（ａ）〜図４（ｄ）は、上記機能の選択画面から選択されたデータフォルダ機能で管理されるデータフォルダに記憶されている各表示情報に対して属性設定を行った場合の例である。すなわち、上記機能の選択画面でデータフォルダ機能が選択されると、制御部４０は、図４（ａ）に示すようにデータフォルダ内に記憶されている表示情報の一覧を第１の表示部４に表示制御する。図４（ａ）に示す例は、上記表示情報の一覧として、Ａ会見積書、出張報告書、監査レポート、事業計画ドラフト、Ａ社用プレゼンテーション資料、経理データ、経費明細等の表示情報が表示された例である。なお、制御部４０は、上記写真等の静止画像、動画像、アイコン画像等の他、このようなＡ会見積書等のテキスト情報も、「表示情報」として表示するようになっている。
【００６０】
上記表示情報の一覧の中から、例えば「Ａ社用プレゼンテーション資料」がユーザにより選択操作されると、制御部４０は、図４（ｂ）に示すように、このＡ社用プレゼンテーション資料に対する情報処理の選択画面を第１の表示部４に表示する。この図４（ｂ）に示す例は、Ａ社用プレゼンテーション資料の登録処理（登録）、電子メールに対する添付処理（メール添付）、他のフォルダへの移動処理（移動）、コピー処理（コピー）、削除処理（削除）、赤外線通信処理（赤外線通信）、近距離無線通信処理（近距離無線通信）、上記属性設定（プロパティ設定）、詳細情報の表示処理（詳細情報）等の選択メニュー項目が表示された例である。
【００６１】
次に、この図４（ｂ）に示す各選択メニュー項目の中から「プロパティ設定」が選択されると、制御部４０は、Ａ社用プレゼンテーション資料に対して上述の属性設定を行うべく、図４（ｃ）に示す属性の設定画面を第１の表示部４に表示する。この図４（ｃ）に示す例は、Ａ社用プレゼンテーション資料に対して、現在、プライベート属性が設定されていることを示している。ユーザは、上述のようにカーソルＣＲを移動操作して、Ａ社用プレゼンテーション資料に対して設定する所望の属性を指定（選択）する。
【００６２】
そして、ユーザにより、この属性の設定画面に基づいて、例えばパブリック属性が設定された場合、制御部４０は、上記属性設定テーブルに登録されているＡ社用プレゼンテーション資料に対する属性情報を、プライベート属性からパブリック属性に書き換えると共に（＝「１」から「０」に書き換えると共に）、図４（ｄ）に示すようにＡ社用プレゼンテーション資料に対してパブリック属性が設定された旨、及びＡ社用プレゼンテーション資料に対してパブリック属性が設定された旨の通知を行うための設定完了画面を第１の表示部４に表示する。ユーザは、この設定完了画面を見ることで、Ａ社用プレゼンテーション資料に対してパブリック属性が設定されたことを認識することとなる。
【００６３】
〔表示情報の出力制御動作〕
次に、このような所望のアプリケーションプログラム（機能）や表示情報に対する属性の設定が完了すると、制御部４０は、以下に説明するように表示情報の外部出力中に、他の表示情報を出力する場合、この他の表示情報に設定されている上記属性を検出し、この他の表示情報に対してプライベート属性が設定された場合には、該他の表示情報の外部出力を禁止制御するようになっている。このような表示情報の出力制御動作の流れを、図５〜図１０のフローチャートに示す。制御部４０は、操作部８を介して表示情報の外部出力を行う外部出力モードが選択操作された際に、ＮＡＮＤ型フラッシュメモリ３９に記憶されている表示情報の出力制御プログラムに基づいて、図５のフローチャートのステップＳ１から各処理を開始する。
【００６４】
まず、ステップＳ１では、制御部４０が、表示情報の外部出力に用いる外部出力機能の選択画面を第１の表示部４に表示制御して、処理をステップＳ２に進める。一例ではあるが、この例の場合、制御部４０は、外部出力機能の選択画面に対して、「第２の表示部１０」、「プロジェクタ１２」、「外部ＩＦ１４」、「近距離無線通信ユニット３３」、「赤外線通信ユニット３４」の各選択項目を一覧表示する。ユーザは、操作部８を介してカーソルを移動操作することで、この一覧表示された各選択項目の中から、所望の外部出力機能に対応する選択項目を選択操作する。
【００６５】
制御部４０は、ステップＳ２において、このような所望の外部出力機能の選択操作の有無を監視しており、ユーザにより所望の外部出力機能の選択操作がなされたタイミングで、処理をステップＳ３に進める。
【００６６】
次に、ユーザにより所望の外部出力機能の選択操作がなされると、制御部４０は、ステップＳ３において、例えば写真フォルダ、データフォルダ等の表示情報が記憶されているフォルダの一覧を第１の表示部４に表示する。ユーザは、操作部８を介してカーソルを移動操作することで、この一覧表示されたフォルダの中から所望のフォルダを選択する。制御部４０は、このフォルダの選択操作がなされると、この選択されたフォルダに記憶されている表示情報の一覧を第１の表示部４に表示する。ユーザは、操作部８を介してカーソルを移動操作することで、この一覧表示された表示情報の中から所望の表示情報を選択する。制御部４０は、ステップＳ４において、このような外部出力を行う所望の表示情報の選択操作の有無を監視しており、ユーザにより所望の表示情報の選択操作がなされたタイミングで、処理をステップＳ５に進める。
【００６７】
ステップＳ５では、制御部４０が、上記属性設定テーブルを参照することで、ユーザにより選択された表示情報に設定されている上記属性を検出し、この設定されている属性が上記プライベート属性であるものと判別した場合には、処理をステップＳ６に進める。ユーザにより選択された表示情報に設定されている属性が上記プライベート属性であるということは、このユーザにより選択された表示情報は、当該ユーザにより外部出力が禁止されている表示情報であることを意味する。このため、制御部４０は、ステップＳ６に処理を進めると、例えば「この情報にはプライベート属性が設定されています。」等のエラーメッセージを第１の表示部４に表示して、該ユーザにより選択された表示情報を外部出力することなく、この図５〜図１０の各フローチャートに示す処理を終了する。
【００６８】
これにより、ユーザにより外部出力が指定された場合でも、プライベート属性が設定されている表示情報の外部出力は禁止されることとなる。なお、このプライベート属性が設定されている表示情報を外部出力する場合には、該表示情報の属性をプライベート属性からパブリック属性に設定し直せばよい。詳しくは、上述の図３及び図４の説明を参照されたい。
【００６９】
一方、上述ステップＳ５において、ユーザにより選択された表示情報に設定されている属しは、上記パブリック属性であるものと判別した場合、制御部４０は、処理をステップＳ７に進める。そして、このステップＳ７において、ユーザにより選択された表示情報を第１の表示部４に表示制御すると共に、上記ステップＳ１でユーザにより選択された外部出力機能を制御して、該ユーザにより選択された表示情報を外部出力する。
【００７０】
〔外部出力中におけるプライベート属性が設定された表示情報の出力制御動作〕
次に、制御部４０は、上記ステップＳ７において、ユーザにより選択された表示情報を第１の表示部４に表示制御すると共に、上記ステップＳ１でユーザにより選択された外部出力機能を制御して、該ユーザにより選択された表示情報を外部出力するのであるが、制御部４０は、このユーザにより選択された表示情報の外部出力中に、他の表示情報の外部出力を行う際、該他の表示情報に設定されている属性を検出し、この属性がパブリック属性であった場合のみ、上記他の表示情報を外部出力制御するようになっている。
【００７１】
（外部出力機能として第２の表示部が選択された場合）
まず、図６のフローチャートは、外部出力機能として第２の表示部１０が選択されている場合における制御部４０の各処理を示すフローチャートである。この外部出力機能として第２の表示部１０が選択された場合における当該携帯電話機の使用形態は、図１２（ａ）及び図１２（ｂ）に示すように当該携帯電話機の上筐体１の非露出面１ａに設けられた第１の表示部４、及び該上筐体１の露出面１ｄに設けられた第２の表示部１０に対して、上記ステップＳ３でユーザにより選択された表示情報をそれぞれ表示し、図１１に示すように第１の表示部４に表示されている表示情報を当該携帯電話機の所有者となるユーザ（操作者）が閲覧し、第２の表示部１０に表示されている表示情報を他のユーザ（閲覧者）が閲覧する使用形態である。
【００７２】
制御部４０は、図５のフローチャートのステップＳ７において、このように各表示部４、１０に対して表示情報を表示すると、処理を図６のフローチャートに進め、ステップＳ２１において、電話着信或いは電子メール着信の有無を監視し、ステップＳ２５において、電話或いは電子メールの送信操作の有無を監視し、ステップＳ２９において、他の表示情報の外部出力指示操作の有無を監視する。
【００７３】
上記ステップＳ２１において、電話着信或いは電子メール着信を検出すると、制御部４０は、ステップＳ２２に進め、上記属性設定テーブルを参照することで、着信電話処理機能或いは着信メール処理機能に対して上記パブリック属性が設定されているか否かを判別する。そして、着信電話処理機能或いは着信メール処理機能に対して上記パブリック属性が設定されているものと判別した場合、処理をステップＳ２３に進め、着信した電話の送信元となるユーザの電話番号や顔写真等の電話着信の情報を上記電話帳から検出して第１及び第２の各表示部４、１０に対してそれぞれ表示制御し、或いは上記電話帳から検出した上記電子メールの送信元となるユーザの電子メールアドレスや顔写真、及び着信した電子メールの表題や本文等のメール着信の情報を、現在、表示中の表示情報と共に、第１及び第２の各表示部４、１０に対してそれぞれ表示制御する。この場合、上記電話着信の情報やメール着信の情報は、上記各表示部４、１０に対してそれぞれ表示制御されるため、上記操作者及び閲覧者の双方で閲覧されることとなる。
【００７４】
これに対して、着信電話処理機能或いは着信メール処理機能に対して上記プライベート属性が設定されているものと判別した場合、制御部４０は、処理をステップＳ２４に進め、着信した電話の送信元となるユーザの電話番号や顔写真等の電話着信の情報を上記電話帳から検出し、或いは上記電話帳から検出した、上記着信した電子メールの送信元となるユーザの電子メールアドレスや顔写真、及び上記着信した電子メールの表題や本文等のメール着信の情報を検出する。そして、第１の表示部４に対しては、この検出した電話着信の情報或いは電子メール着信の情報を、現在、表示中の表示情報と共に表示制御し、第２の表示部１０に対しては、上記検出した電話着信の情報或いは電子メール着信の情報を表示することなく、現在、表示中の表示情報のみを表示制御する。
【００７５】
この場合、制御部４０は、例えば図１２（ｃ）に示すように操作者が閲覧している第１の表示部４の表示領域を上下に２等分割し、下表示領域に対して、現在表示中の表示情報を表示し、上表示領域に対して上記電話着信の情報や上記メール着信の情報を表示する。なお、この図１２（ｃ）に示す例は、上記下表示領域に対して、現在表示中の家の写真を表示し、上記上表示領域に対して、着信メールの表題や本文等を表示した例を示している。また、この表示例は一例であり、制御部４０は、例えば図１２（ｄ）に示すように現在表示中の表示情報（この例の場合、上記家の写真）をアイコン画像化して第１の表示部４の右下等の表示領域に小さく表示し、他の表示領域に上記電話着信の情報や上記メール着信の情報を大きく表示してもよい。
【００７６】
これにより、着信電話処理機能或いは着信メール処理機能に対してプライベート属性が設定されていた場合には、第１及び第２の各表示部４、１０に対する表示情報の出力中に、電話着信或いは電子メール着信があった場合は、この電話着信の情報やメール着信の情報を、操作者が閲覧している第１の表示部４に対してのみ表示することができるため、プライベート情報となる上記電話着信の情報やメール着信の情報が、閲覧者が閲覧している第２の表示部１０に表示され閲覧されてしまう不都合を防止することができ、当該携帯電話機のユーザ（＝上記操作者）のプライベート情報を保護することができる。
【００７７】
次に、上記ステップＳ２５において、電話或いは電子メールの送信操作を検出すると、制御部４０は、ステップＳ２６に進め、上記属性設定テーブルを参照することで、送信電話処理機能或いは送信メール処理機能に対して上記パブリック属性が設定されているか否かを判別する。そして、送信電話処理機能或いは送信メール処理機能に対して上記パブリック属性が設定されているものと判別した場合、処理をステップＳ２７に進め、この電話の送信先となるユーザの電話番号や顔写真等の電話送信の情報を上記電話帳から検出して第１及び第２の各表示部４、１０に対してそれぞれ表示制御し、或いは電子メールの送信先となるユーザの電子メールアドレスや顔写真等のメール送信の情報を上記電話帳から検出すると共に、送信した電子メールの表題、本文を検出し、現在、表示中の表示情報と共に第１及び第２の各表示部４、１０に対してそれぞれ表示制御する。この場合、上記電話送信の情報やメール送信の情報は、上記各表示部４、１０に対してそれぞれ表示制御されるため、上記操作者及び閲覧者の双方で閲覧されることとなる。
【００７８】
これに対して、送信電話処理機能或いは送信メール処理機能に対して上記プライベート属性が設定されているものと判別した場合、制御部４０は、処理をステップＳ２８に進め、この電話の送信先となるユーザの電話番号や顔写真等の電話送信の情報を上記電話帳から検出し、或いは上記電話帳から検出した上記電子メールの送信先となるユーザの電子メールアドレスや顔写真等やこの電子メールの表題や本文等のメール送信の情報を検出する。そして、第１の表示部４に対しては、この検出した電話送信の情報或いは電子メール送信の情報を、現在、表示中の表示情報と共に第１の表示部４に表示制御し、第２の表示部１０に対しては、上記検出した電話送信の情報或いは電子メール送信の情報を表示することなく、現在、表示中の表示情報のみを表示制御する。
【００７９】
これにより、送信電話処理機能或いは送信メール処理機能に対してプライベート属性が設定されていた場合には、第１及び第２の各表示部４、１０に対する表示情報の出力中に、電話送信或いは電子メール送信がなされても、この電話送信の情報やメール送信の情報を、操作者が閲覧している第１の表示部４に対してのみ表示することができるため、プライベート情報となる上記電話送信の情報やメール送信の情報が、閲覧者が閲覧している第２の表示部１０に表示され閲覧されてしまう不都合を防止することができ、当該携帯電話機のユーザ（＝上記操作者）のプライベート情報を保護することができる。
【００８０】
次に、上記ステップＳ２９において、他の表示情報の外部出力指示操作を検出すると、制御部４０は、ステップＳ３０に進め、上記属性設定テーブルを参照することで、上記電話帳機能、スケジュール帳機能、写真フォルダ機能、動画フォルダ機能等の表示情報の外部出力を可能とする機能に対して、上記パブリック属性が設定されているか否かを判別する。そして、上記表示情報の外部出力を可能とする機能に対して上記パブリック属性が設定されているものと判別した場合、処理をステップＳ３１に進め、ユーザにより外部出力が指定操作された上記他の表示情報を対応するフォルダから読み出し、現在、表示中の表示情報と共に、第１及び第２の各表示部４、１０に対してそれぞれ表示制御する。この場合、上記他の表示情報は、上記各表示部４、１０に対してそれぞれ表示制御されるため、上記操作者及び閲覧者の双方で閲覧されることとなる。
【００８１】
これに対して、上記表示情報の外部出力を可能とする機能に対して上記プライベート属性が設定されているものと判別した場合、制御部４０は、処理をステップＳ３２に進め、ユーザにより外部出力が指定操作された上記他の表示情報を対応するフォルダから読み出す。そして、第１の表示部４に対しては、このフォルダから読み出した他の表示情報を、現在、表示中の表示情報と共に表示制御し、第２の表示部１０に対しては、上記他の表示情報を表示することなく、現在、表示中の表示情報のみを表示制御する。
【００８２】
これにより、上記表示情報の外部出力を可能とする機能に対してプライベート属性が設定されていた場合には、第１及び第２の各表示部４、１０に対する表示情報の出力中に、他の表示情報の出力指定操作がなされても、上記他の表示情報を、操作者が閲覧している第１の表示部４に対してのみ表示することができるため、プライベート情報となる上記他の表示情報が、閲覧者が閲覧している第２の表示部１０に表示され閲覧されてしまう不都合を防止することができ、当該携帯電話機のユーザ（＝上記操作者）のプライベート情報を保護することができる。
【００８３】
制御部４０は、この図６のフローチャートのステップＳ３３において、操作部８の操作状況を監視することで、当該外部出力モードの終了指定操作がなされたか否かを判別しており、この終了指定操作がなされたタイミングで、このような外部出力モードを終了制御する。
【００８４】
（外部出力機能としてプロジェクタが選択された場合）
次に、図７のフローチャートは、外部出力機能としてプロジェクタ１２が選択されている場合における制御部４０の各処理を示すフローチャートである。この外部出力機能としてプロジェクタ１２が選択された場合における当該携帯電話機の使用形態は、図１３に示すように当該携帯電話機の上筐体１の非露出面１ａに設けられた第１の表示部４に対して、上記ステップＳ３でユーザにより選択された表示情報をそれぞれ表示すると共に、この表示情報を、下筐体２に設けられたプロジェクタ１２を介してスクリーンに投影し、第１の表示部４に表示されている表示情報を当該携帯電話機の所有者となるユーザ（操作者）が閲覧し、スクリーンに投影されている表示情報を他のユーザ（閲覧者）が閲覧する使用形態である。
【００８５】
制御部４０は、図５のフローチャートのステップＳ７において、このように第１の表示部４に対して表示情報を表示すると共に、該表示情報をプロジェクタ１２を介してスクリーンに投影制御すると、処理を図７のフローチャートに進め、ステップＳ４１において、電話着信或いは電子メール着信の有無を監視し、ステップＳ４５において、電話或いは電子メールの送信操作の有無を監視し、ステップＳ４９において、他の表示情報の外部出力指示操作の有無を監視する。
【００８６】
上記ステップＳ４１において、電話着信或いは電子メール着信を検出すると、制御部４０は、ステップＳ４２に進め、上記属性設定テーブルを参照することで、着信電話処理機能或いは着信メール処理機能に対して上記パブリック属性が設定されているか否かを判別する。そして、着信電話処理機能或いは着信メール処理機能に対して上記パブリック属性が設定されているものと判別した場合、処理をステップＳ４３に進め、着信した電話の送信元となるユーザの電話番号や顔写真等の電話着信の情報を上記電話帳から検出し、現在、表示中の表示情報と共に第１の表示部４に対して表示すると共に、この電話着信の情報を、現在、表示中の表示情報と共に上記スクリーンに投影するようにプロジェクタ１２を投影制御する。或いは上記電話帳から検出した上記電子メールの送信元となるユーザの電子メールアドレスや顔写真や、着信した電子メールの表題、本文や等のメール着信の情報を、現在、表示中の表示情報と共に、第１の表示部４に対して表示すると共に、このメール着信の情報を、現在、表示中の表示情報と共に上記スクリーンに投影するようにプロジェクタ１２を投影制御する。この場合、上記電話着信の情報やメール着信の情報は、第１の表示部４に表示されると共に、上記スクリーンに投影されるため、上記操作者及び閲覧者の双方で閲覧されることとなる。
【００８７】
これに対して、着信電話処理機能或いは着信メール処理機能に対して上記プライベート属性が設定されているものと判別した場合、制御部４０は、処理をステップＳ４４に進め、着信した電話の送信元となるユーザの電話番号や顔写真等の電話着信の情報を上記電話帳から検出し、或いは着信した電子メールの送信元となるユーザの電子メールアドレスや顔写真等を上記電話帳から検出すると共に、上記着信した電子メールの表題や本文等のメール着信の情報を検出する。そして、第１の表示部４に対しては、この検出した電話着信の情報或いは電子メール着信の情報を、現在、表示中の表示情報と共に表示制御し、上記スクリーンに対しては、上記検出した電話着信の情報或いは電子メール着信の情報を投影することなく、現在、表示中の表示情報のみを投影するようにプロジェクタ１２を投影制御する。
【００８８】
これにより、着信電話処理機能或いは着信メール処理機能に対してプライベート属性が設定されていた場合には、上記スクリーンに対して上記表示情報の投影中に着信した電話の電話着信の情報や該着信した電子メールのメール着信の情報を、操作者が閲覧している第１の表示部４に対してのみ表示することができるため、プライベート情報となる上記電話着信の情報やメール着信の情報が、閲覧者が閲覧しているスクリーンに投影されて閲覧されてしまう不都合を防止することができ、当該携帯電話機のユーザ（＝上記操作者）のプライベート情報を保護することができる。
【００８９】
次に、上記ステップＳ４５において、電話或いは電子メールの送信操作を検出すると、制御部４０は、ステップＳ４６に進め、上記属性設定テーブルを参照することで、送信電話処理機能或いは送信メール処理機能に対して上記パブリック属性が設定されているか否かを判別する。そして、送信電話処理機能或いは送信メール処理機能に対して上記パブリック属性が設定されているものと判別した場合、処理をステップＳ４７に進め、この電話の送信先となるユーザの電話番号や顔写真等の電話送信の情報を上記電話帳から検出して、現在表示中の表示情報と共に第１の表示部４に表示すると共に、該電話送信の情報を現在投影中の表示情報と共に上記スクリーンに投影するようにプロジェクタ１２を投影制御し、或いは電子メールの送信先となるユーザの電子メールアドレスや顔写真等のメール送信の情報を上記電話帳から検出すると共に、送信した電子メールの表題、本文を検出し、現在、表示中の表示情報と共に第１の表示部４に表示すると共に、該メール送信の情報を現在投影中の表示情報と共に上記スクリーンに投影するようにプロジェクタ１２を投影制御する。この場合、上記電話送信の情報やメール送信の情報は、上記第１の表示部４に表示されると共に、上記スクリーンに投影されるため、上記操作者及び閲覧者の双方で閲覧されることとなる。
【００９０】
これに対して、送信電話処理機能或いは送信メール処理機能に対して上記プライベート属性が設定されているものと判別した場合、制御部４０は、処理をステップＳ４８に進め、この電話の送信先となるユーザの電話番号や顔写真等の電話送信の情報を上記電話帳から検出し、或いは上記電話帳から検出した上記電子メールの送信先となるユーザの電子メールアドレスや顔写真等やこの電子メールの表題や本文等のメール送信の情報を検出する。そして、第１の表示部４に対しては、この検出した電話送信の情報或いは電子メール送信の情報を、現在、表示中の表示情報と共に表示制御し、上記スクリーンに対しては、上記検出した電話送信の情報或いは電子メール送信の情報を投影することなく、現在、表示中の表示情報のみを投影するようにプロジェクタ１２を投影制御する。
【００９１】
これにより、送信電話処理機能或いは送信メール処理機能に対してプライベート属性が設定されていた場合には、第１の表示部４及びスクリーンに対する表示情報の出力中に、電話送信或いは電子メール送信がなされても、この電話送信の情報やメール送信の情報を、操作者が閲覧している第１の表示部４に対してのみ表示することができるため、プライベート情報となる上記電話送信の情報やメール送信の情報が、閲覧者が閲覧している上記スクリーンに投影され閲覧されてしまう不都合を防止することができ、当該携帯電話機のユーザ（＝上記操作者）のプライベート情報を保護することができる。
【００９２】
次に、上記ステップＳ４９において、他の表示情報の外部出力指示操作を検出すると、制御部４０は、ステップＳ５０に進め、上記属性設定テーブルを参照することで、上記電話帳機能、スケジュール帳機能、写真フォルダ機能、動画フォルダ機能等の表示情報の外部出力を可能とする機能に対して、上記パブリック属性が設定されているか否かを判別する。そして、上記表示情報の外部出力を可能とする機能に対して上記パブリック属性が設定されているものと判別した場合、処理をステップＳ５１に進め、ユーザにより外部出力が指定操作された上記他の表示情報を、対応するフォルダから読み出し、現在、表示中の表示情報と共に第１の表示部４に表示制御し、また、上記他の表示情報を、現在、投影中の表示情報と共に上記スクリーンに投影するようにプロジェクタ１２を投影制御する。この場合、上記他の表示情報は、上記第１の表示部４及び上記スクリーンに対してそれぞれ出力制御されるため、上記操作者及び閲覧者の双方で閲覧されることとなる。
【００９３】
これに対して、上記表示情報の外部出力を可能とする機能に対して上記プライベート属性が設定されているものと判別した場合、制御部４０は、処理をステップＳ５２に進め、ユーザにより外部出力が指定操作された上記他の表示情報を対応するフォルダから読み出す。そして、第１の表示部４に対しては、このフォルダから読み出した他の表示情報を、現在、表示中の表示情報と共に表示制御し、上記スクリーンに対しては、上記他の表示情報を投影することなく、現在、投影中の表示情報のみを投影するようにプロジェクタ１２を投影制御する。
【００９４】
これにより、上記表示情報の外部出力を可能とする機能に対してプライベート属性が設定されていた場合には、第１の表示部４及び上記スクリーンに対する表示情報の出力中に、他の表示情報の出力指定操作がなされても、上記他の表示情報を、操作者が閲覧している第１の表示部４に対してのみ表示することができるため、プライベート情報となる上記他の表示情報が、閲覧者が閲覧している上記スクリーンに投影され閲覧されてしまう不都合を防止することができ、当該携帯電話機のユーザ（＝上記操作者）のプライベート情報を保護することができる。
【００９５】
制御部４０は、この図７のフローチャートのステップＳ５３において、操作部８の操作状況を監視することで、当該外部出力モードの終了指定操作がなされたか否かを判別しており、この終了指定操作がなされたタイミングで、このような外部出力モードを終了制御する。
【００９６】
（外部出力機能として外部ＩＦが選択された場合）
次に、図８のフローチャートは、外部出力機能として外部ＩＦ１４が選択されている場合における制御部４０の各処理を示すフローチャートである。この外部出力機能として外部ＩＦ１４が選択された場合における当該携帯電話機の使用形態は、当該携帯電話機の上筐体１の非露出面１ａに設けられた第１の表示部４に対して、上記ステップＳ３でユーザにより選択された表示情報をそれぞれ表示すると共に、この表示情報を、上記外部ＩＦ１４を介して、例えば外部モニタ装置に出力し、第１の表示部４に表示されている表示情報を当該携帯電話機の所有者となるユーザ（操作者）が閲覧し、外部モニタ装置に表示されている表示情報を他のユーザ（閲覧者）が閲覧する使用形態である。
【００９７】
制御部４０は、図５のフローチャートのステップＳ７において、このように第１の表示部４に対して表示情報を表示すると共に、該表示情報を外部ＩＦ１４を介して外部モニタ装置に出力制御すると、処理を図８のフローチャートに進め、ステップＳ６１において、電話着信或いは電子メール着信の有無を監視し、ステップＳ６５において、電話或いは電子メールの送信操作の有無を監視し、ステップＳ６９において、他の表示情報の外部出力指示操作の有無を監視する。
【００９８】
上記ステップＳ６１において、電話着信或いは電子メール着信を検出すると、制御部４０は、ステップＳ６２に進め、上記属性設定テーブルを参照することで、着信電話処理機能或いは着信メール処理機能に対して上記パブリック属性が設定されているか否かを判別する。そして、着信電話処理機能或いは着信メール処理機能に対して上記パブリック属性が設定されているものと判別した場合、処理をステップＳ６３に進め、着信した電話の送信元となるユーザの電話番号や顔写真等の電話着信の情報を上記電話帳から検出し、現在、表示中の表示情報と共に第１の表示部４に対して表示すると共に、この電話着信の情報を、現在、表示中の表示情報と共に上記外部モニタ装置に出力するように外部ＩＦ１４を出力制御する。或いは上記電話帳から検出した上記電子メールの送信元となるユーザの電子メールアドレスや顔写真や、着信した電子メールの表題、本文や等のメール着信の情報を、現在、表示中の表示情報と共に、第１の表示部４に対して表示すると共に、このメール着信の情報を、現在、表示中の表示情報と共に上記外部モニタ装置に出力するように外部ＩＦ１４を出力制御する。この場合、上記電話着信の情報やメール着信の情報は、第１の表示部４に表示されると共に、上記外部モニタ装置に表示されるため、上記操作者及び閲覧者の双方で閲覧されることとなる。
【００９９】
これに対して、着信電話処理機能或いは着信メール処理機能に対して上記プライベート属性が設定されているものと判別した場合、制御部４０は、処理をステップＳ６４に進め、着信した電話の送信元となるユーザの電話番号や顔写真等の電話着信の情報を上記電話帳から検出し、或いは着信した電子メールの送信元となるユーザの電子メールアドレスや顔写真等を上記電話帳から検出すると共に、上記着信した電子メールの表題や本文等のメール着信の情報を検出する。そして、第１の表示部４に対しては、この検出した電話着信の情報或いは電子メール着信の情報を、現在、表示中の表示情報と共に表示制御し、上記外部モニタ装置に対しては、上記検出した電話着信の情報或いは電子メール着信の情報を表示することなく、現在、表示中の表示情報のみを表示するように外部ＩＦ１４を出力制御する。
【０１００】
これにより、着信電話処理機能或いは着信メール処理機能に対してプライベート属性が設定されていた場合には、上記外部モニタ装置に対して上記表示情報の表示中に着信した電話の電話着信の情報や該着信した電子メールのメール着信の情報を、操作者が閲覧している第１の表示部４に対してのみ表示することができるため、プライベート情報となる上記電話着信の情報やメール着信の情報が、閲覧者が閲覧している外部モニタ装置に表示されて閲覧されてしまう不都合を防止することができ、当該携帯電話機のユーザ（＝上記操作者）のプライベート情報を保護することができる。
【０１０１】
次に、上記ステップＳ６５において、電話或いは電子メールの送信操作を検出すると、制御部４０は、処理をステップＳ６６に進め、上記属性設定テーブルを参照することで、送信電話処理機能或いは送信メール処理機能に対して上記パブリック属性が設定されているか否かを判別する。そして、送信電話処理機能或いは送信メール処理機能に対して上記パブリック属性が設定されているものと判別した場合、処理をステップＳ６７に進め、この電話の送信先となるユーザの電話番号や顔写真等の電話送信の情報を上記電話帳から検出して、現在表示中の表示情報と共に第１の表示部４に表示すると共に、該電話送信の情報を現在表示中の表示情報と共に上記外部モニタ装置に出力するように外部ＩＦ１４を出力制御し、或いは電子メールの送信先となるユーザの電子メールアドレスや顔写真等のメール送信の情報を上記電話帳から検出すると共に、送信した電子メールの表題、本文を検出し、現在、表示中の表示情報と共に第１の表示部４に表示すると共に、該メール送信の情報を現在表示中の表示情報と共に上記外部モニタ装置に出力するように外部ＩＦ１４を出力制御する。この場合、上記電話送信の情報やメール送信の情報は、上記第１の表示部４に表示されると共に、上記外部モニタ装置に表示されるため、上記操作者及び閲覧者の双方で閲覧されることとなる。
【０１０２】
これに対して、送信電話処理機能或いは送信メール処理機能に対して上記プライベート属性が設定されているものと判別した場合、制御部４０は、処理をステップＳ６８に進め、この電話の送信先となるユーザの電話番号や顔写真等の電話送信の情報を上記電話帳から検出し、或いは上記電話帳から検出した上記電子メールの送信先となるユーザの電子メールアドレスや顔写真等やこの電子メールの表題や本文等のメール送信の情報を検出する。そして、第１の表示部４に対しては、この検出した電話送信の情報或いは電子メール送信の情報を、現在、表示中の表示情報と共に表示制御し、上記外部モニタ装置に対しては、上記検出した電話送信の情報或いは電子メール送信の情報を表示することなく、現在、表示中の表示情報のみを表示するように外部ＩＦ１４を出力制御する。
【０１０３】
これにより、送信電話処理機能或いは送信メール処理機能に対してプライベート属性が設定されていた場合には、第１の表示部４及び外部モニタ装置に対する表示情報の出力中に、電話送信或いは電子メール送信がなされても、この電話送信の情報やメール送信の情報を、操作者が閲覧している第１の表示部４に対してのみ表示することができるため、プライベート情報となる上記電話送信の情報やメール送信の情報が、閲覧者が閲覧している上記外部モニタ装置に表示され閲覧されてしまう不都合を防止することができ、当該携帯電話機のユーザ（＝上記操作者）のプライベート情報を保護することができる。
【０１０４】
次に、上記ステップＳ６９において、他の表示情報の外部出力指示操作を検出すると、制御部４０は、処理をステップＳ７０に進め、上記属性設定テーブルを参照することで、上記電話帳機能、スケジュール帳機能、写真フォルダ機能、動画フォルダ機能等の表示情報の外部出力を可能とする機能に対して、上記パブリック属性が設定されているか否かを判別する。そして、上記表示情報の外部出力を可能とする機能に対して上記パブリック属性が設定されているものと判別した場合、処理をステップＳ７１に進め、ユーザにより外部出力が指定操作された上記他の表示情報を、対応するフォルダから読み出し、現在、表示中の表示情報と共に第１の表示部４に表示制御し、また、上記他の表示情報を、現在、表示中の表示情報と共に上記外部モニタ装置に出力するように外部ＩＦ１４を出力制御する。この場合、上記他の表示情報は、上記第１の表示部４及び上記外部モニタ装置に対してそれぞれ表示されるため、上記操作者及び閲覧者の双方で閲覧されることとなる。
【０１０５】
これに対して、上記表示情報の外部出力を可能とする機能に対して上記プライベート属性が設定されているものと判別した場合、制御部４０は、処理をステップＳ７２に進め、ユーザにより外部出力が指定操作された上記他の表示情報を対応するフォルダから読み出す。そして、第１の表示部４に対しては、このフォルダから読み出した他の表示情報を、現在、表示中の表示情報と共に表示制御し、上記外部モニタ装置に対しては、上記他の表示情報を出力することなく、現在、出力中の表示情報のみを出力するように外部ＩＦ１４を出力制御する。
【０１０６】
これにより、上記表示情報の外部出力を可能とする機能に対してプライベート属性が設定されていた場合には、第１の表示部４及び上記外部モニタ装置に対する表示情報の出力中に、他の表示情報の出力指定操作がなされても、上記他の表示情報を、操作者が閲覧している第１の表示部４に対してのみ表示することができるため、プライベート情報となる上記他の表示情報が、閲覧者が閲覧している上記外部モニタ装置に表示され閲覧されてしまう不都合を防止することができ、当該携帯電話機のユーザ（＝上記操作者）のプライベート情報を保護することができる。
【０１０７】
制御部４０は、この図８のフローチャートのステップＳ７３において、操作部８の操作状況を監視することで、当該外部出力モードの終了指定操作がなされたか否かを判別しており、この終了指定操作がなされたタイミングで、このような外部出力モードを終了制御する。
【０１０８】
（外部出力機能として近距離無線通信ユニットが選択された場合）
次に、図９のフローチャートは、外部出力機能として近距離無線通信ユニット３３が選択されている場合における制御部４０の各処理を示すフローチャートである。この外部出力機能として近距離無線通信ユニット３３が選択された場合における当該携帯電話機の使用形態は、図１４に示すように当該携帯電話機の近距離無線通信ユニット３３と外部モニタ装置等の近距離無線通信対応機器との間で、例えばブルートゥース（登録商標）等の近距離無線通信回線を確立し、当該携帯電話機の上筐体１の非露出面１ａに設けられた第１の表示部４に対して、上記ステップＳ３でユーザにより選択された表示情報をそれぞれ表示すると共に、この表示情報を、上記近距離無線通信ユニット３３を介して、上記近距離無線通信対応の外部モニタ装置に送信し、第１の表示部４に表示されている表示情報を当該携帯電話機の所有者となるユーザ（操作者）が閲覧し、外部モニタ装置に表示されている表示情報を他のユーザ（閲覧者）が閲覧する使用形態である。
【０１０９】
制御部４０は、図５のフローチャートのステップＳ７において、このように第１の表示部４に対して表示情報を表示すると共に、該表示情報を近距離無線通信ユニット３３を介して外部モニタ装置に近距離無線通信制御すると、処理を図９のフローチャートに進め、ステップＳ８１において、電話着信或いは電子メール着信の有無を監視し、ステップＳ８５において、電話或いは電子メールの送信操作の有無を監視し、ステップＳ８９において、他の表示情報の外部出力指示操作の有無を監視する。
【０１１０】
上記ステップＳ８１において、電話着信或いは電子メール着信を検出すると、制御部４０は、ステップＳ８２に進め、上記属性設定テーブルを参照することで、着信電話処理機能或いは着信メール処理機能に対して上記パブリック属性が設定されているか否かを判別する。そして、着信電話処理機能或いは着信メール処理機能に対して上記パブリック属性が設定されているものと判別した場合、処理をステップＳ８３に進め、着信した電話の送信元となるユーザの電話番号や顔写真等の電話着信の情報を上記電話帳から検出し、現在、表示中の表示情報と共に第１の表示部４に対して表示すると共に、この電話着信の情報を、現在、表示中の表示情報と共に上記外部モニタ装置に近距離無線送信するように近距離無線通信ユニット３３を通信制御する。或いは上記電話帳から検出した上記電子メールの送信元となるユーザの電子メールアドレスや顔写真や、着信した電子メールの表題、本文や等のメール着信の情報を、現在、表示中の表示情報と共に、第１の表示部４に対して表示すると共に、このメール着信の情報を、現在、表示中の表示情報と共に上記外部モニタ装置に近距離無線送信するように近距離無線通信ユニット３３を送信制御する。この場合、上記電話着信の情報やメール着信の情報は、第１の表示部４に表示されると共に、上記外部モニタ装置に表示されるため、上記操作者及び閲覧者の双方で閲覧されることとなる。
【０１１１】
これに対して、着信電話処理機能或いは着信メール処理機能に対して上記プライベート属性が設定されているものと判別した場合、制御部４０は、処理をステップＳ８４に進め、着信した電話の送信元となるユーザの電話番号や顔写真等の電話着信の情報を上記電話帳から検出し、或いは着信した電子メールの送信元となるユーザの電子メールアドレスや顔写真等を上記電話帳から検出すると共に、上記着信した電子メールの表題や本文等のメール着信の情報を検出する。そして、第１の表示部４に対しては、この検出した電話着信の情報或いは電子メール着信の情報を、現在、表示中の表示情報と共に表示制御し、上記外部モニタ装置に対しては、上記検出した電話着信の情報或いは電子メール着信の情報を送信することなく、現在、表示中の表示情報のみを送信するように近距離無線通信ユニット３３を送信制御する。
【０１１２】
これにより、着信電話処理機能或いは着信メール処理機能に対してプライベート属性が設定されていた場合には、上記外部モニタ装置に対して上記表示情報の表示中に着信した電話の電話着信の情報や該着信した電子メールのメール着信の情報を、操作者が閲覧している第１の表示部４に対してのみ表示することができるため、プライベート情報となる上記電話着信の情報やメール着信の情報が、閲覧者が閲覧している外部モニタ装置に表示されて閲覧されてしまう不都合を防止することができ、当該携帯電話機のユーザ（＝上記操作者）のプライベート情報を保護することができる。
【０１１３】
次に、上記ステップＳ８５において、電話或いは電子メールの送信操作を検出すると、制御部４０は、処理をステップＳ８６に進め、上記属性設定テーブルを参照することで、送信電話処理機能或いは送信メール処理機能に対して上記パブリック属性が設定されているか否かを判別する。そして、送信電話処理機能或いは送信メール処理機能に対して上記パブリック属性が設定されているものと判別した場合、処理をステップＳ８７に進め、この電話の送信先となるユーザの電話番号や顔写真等の電話送信の情報を上記電話帳から検出して、現在表示中の表示情報と共に第１の表示部４に表示すると共に、該電話送信の情報を現在表示中の表示情報と共に上記外部モニタ装置に送信するように近距離無線通信ユニット３３を送信制御し、或いは電子メールの送信先となるユーザの電子メールアドレスや顔写真等のメール送信の情報を上記電話帳から検出すると共に、送信した電子メールの表題、本文を検出し、現在、表示中の表示情報と共に第１の表示部４に表示すると共に、該メール送信の情報を現在表示中の表示情報と共に上記外部モニタ装置に出力するように近距離無線通信ユニット３３を送信制御する。この場合、上記電話送信の情報やメール送信の情報は、上記第１の表示部４に表示されると共に、上記外部モニタ装置に表示されるため、上記操作者及び閲覧者の双方で閲覧されることとなる。
【０１１４】
これに対して、送信電話処理機能或いは送信メール処理機能に対して上記プライベート属性が設定されているものと判別した場合、制御部４０は、処理をステップＳ８８に進め、この電話の送信先となるユーザの電話番号や顔写真等の電話送信の情報を上記電話帳から検出し、或いは上記電話帳から検出した上記電子メールの送信先となるユーザの電子メールアドレスや顔写真等やこの電子メールの表題や本文等のメール送信の情報を検出する。そして、第１の表示部４に対しては、この検出した電話送信の情報或いは電子メール送信の情報を、現在、表示中の表示情報と共に表示制御し、上記外部モニタ装置に対しては、上記検出した電話送信の情報或いは電子メール送信の情報を送信することなく、現在、表示中の表示情報のみを送信するように近距離無線通信ユニット３３を送信制御する。
【０１１５】
これにより、送信電話処理機能或いは送信メール処理機能に対してプライベート属性が設定されていた場合には、第１の表示部４及び外部モニタ装置に対する表示情報の出力中に、電話送信或いは電子メール送信がなされても、この電話送信の情報やメール送信の情報を、操作者が閲覧している第１の表示部４に対してのみ表示することができるため、プライベート情報となる上記電話送信の情報やメール送信の情報が、閲覧者が閲覧している上記外部モニタ装置に表示され閲覧されてしまう不都合を防止することができ、当該携帯電話機のユーザ（＝上記操作者）のプライベート情報を保護することができる。
【０１１６】
次に、上記ステップＳ８９において、他の表示情報の外部出力指示操作を検出すると、制御部４０は、処理をステップＳ９０に進め、上記属性設定テーブルを参照することで、上記電話帳機能、スケジュール帳機能、写真フォルダ機能、動画フォルダ機能等の表示情報の外部出力を可能とする機能に対して、上記パブリック属性が設定されているか否かを判別する。そして、上記表示情報の外部出力を可能とする機能に対して上記パブリック属性が設定されているものと判別した場合、処理をステップＳ９１に進め、ユーザにより外部出力が指定操作された上記他の表示情報を、対応するフォルダから読み出し、現在、表示中の表示情報と共に第１の表示部４に表示制御し、また、上記他の表示情報を、現在、表示中の表示情報と共に上記外部モニタ装置に送信するように近距離無線通信ユニット３３を送信制御する。この場合、上記他の表示情報は、上記第１の表示部４及び上記外部モニタ装置に対してそれぞれ表示されるため、上記操作者及び閲覧者の双方で閲覧されることとなる。
【０１１７】
これに対して、上記表示情報の外部出力を可能とする機能に対して上記プライベート属性が設定されているものと判別した場合、制御部４０は、処理をステップＳ９２に進め、ユーザにより外部出力が指定操作された上記他の表示情報を対応するフォルダから読み出す。そして、第１の表示部４に対しては、このフォルダから読み出した他の表示情報を、現在、表示中の表示情報と共に表示制御し、上記外部モニタ装置に対しては、上記他の表示情報を送信することなく、現在、送信中の表示情報のみを送信するように近距離無線通信ユニット３３を送信制御する。
【０１１８】
これにより、上記表示情報の外部出力を可能とする機能に対してプライベート属性が設定されていた場合には、第１の表示部４及び上記外部モニタ装置に対する表示情報の出力中に、他の表示情報の出力指定操作がなされても、上記他の表示情報を、操作者が閲覧している第１の表示部４に対してのみ表示することができるため、プライベート情報となる上記他の表示情報が、閲覧者が閲覧している上記外部モニタ装置に表示され閲覧されてしまう不都合を防止することができ、当該携帯電話機のユーザ（＝上記操作者）のプライベート情報を保護することができる。
【０１１９】
制御部４０は、この図９のフローチャートのステップＳ９３において、操作部８の操作状況を監視することで、当該外部出力モードの終了指定操作がなされたか否かを判別しており、この終了指定操作がなされたタイミングで、このような外部出力モードを終了制御する。
【０１２０】
（外部出力機能として赤外線通信ユニットが選択された場合）
次に、図１０のフローチャートは、外部出力機能として赤外線通信ユニット３４が選択されている場合における制御部４０の各処理を示すフローチャートである。この外部出力機能として赤外線通信ユニット３４が選択された場合における当該携帯電話機の使用形態は、図１４に示すように当該携帯電話機の上筐体１の非露出面１ａに設けられた第１の表示部４に対して、上記ステップＳ３でユーザにより選択された表示情報をそれぞれ表示すると共に、この表示情報を、上記赤外線通信ユニット３４を介して、赤外線通信対応の外部モニタ装置に送信し、第１の表示部４に表示されている表示情報を当該携帯電話機の所有者となるユーザ（操作者）が閲覧し、外部モニタ装置に表示されている表示情報を他のユーザ（閲覧者）が閲覧する使用形態である。
【０１２１】
制御部４０は、図５のフローチャートのステップＳ７において、このように第１の表示部４に対して表示情報を表示すると共に、該表示情報を赤外線通信ユニット３４を介して外部モニタ装置に近距離無線通信制御すると、処理を図１０のフローチャートに進め、ステップＳ１０１において、電話着信或いは電子メール着信の有無を監視し、ステップＳ１０５において、電話或いは電子メールの送信操作の有無を監視し、ステップＳ１０９において、他の表示情報の外部出力指示操作の有無を監視する。
【０１２２】
上記ステップＳ１０１において、電話着信或いは電子メール着信を検出すると、制御部４０は、ステップＳ１０２に進め、上記属性設定テーブルを参照することで、着信電話処理機能或いは着信メール処理機能に対して上記パブリック属性が設定されているか否かを判別する。そして、着信電話処理機能或いは着信メール処理機能に対して上記パブリック属性が設定されているものと判別した場合、処理をステップＳ１０３に進め、着信した電話の送信元となるユーザの電話番号や顔写真等の電話着信の情報を上記電話帳から検出し、現在、表示中の表示情報と共に第１の表示部４に対して表示すると共に、この電話着信の情報を、現在、表示中の表示情報と共に上記外部モニタ装置に赤外線送信するように赤外線通信ユニット３４を送信制御する。或いは上記電話帳から検出した上記電子メールの送信元となるユーザの電子メールアドレスや顔写真や、着信した電子メールの表題、本文や等のメール着信の情報を、現在、表示中の表示情報と共に、第１の表示部４に対して表示すると共に、このメール着信の情報を、現在、表示中の表示情報と共に上記外部モニタ装置に赤外線送信するように赤外線通信ユニット３４を送信制御する。この場合、上記電話着信の情報やメール着信の情報は、第１の表示部４に表示されると共に、上記外部モニタ装置に表示されるため、上記操作者及び閲覧者の双方で閲覧されることとなる。
【０１２３】
これに対して、着信電話処理機能或いは着信メール処理機能に対して上記プライベート属性が設定されているものと判別した場合、制御部４０は、処理をステップＳ１０４に進め、着信した電話の送信元となるユーザの電話番号や顔写真等の電話着信の情報を上記電話帳から検出し、或いは着信した電子メールの送信元となるユーザの電子メールアドレスや顔写真等を上記電話帳から検出すると共に、上記着信した電子メールの表題や本文等のメール着信の情報を検出する。そして、第１の表示部４に対しては、この検出した電話着信の情報或いは電子メール着信の情報を、現在、表示中の表示情報と共に表示制御し、上記外部モニタ装置に対しては、上記検出した電話着信の情報或いは電子メール着信の情報を送信することなく、現在、表示中の表示情報のみを送信するように赤外線通信ユニット３４を送信制御する。
【０１２４】
これにより、着信電話処理機能或いは着信メール処理機能に対してプライベート属性が設定されていた場合には、上記外部モニタ装置に対して上記表示情報の表示中に着信した電話の電話着信の情報や該着信した電子メールのメール着信の情報を、操作者が閲覧している第１の表示部４に対してのみ表示することができるため、プライベート情報となる上記電話着信の情報やメール着信の情報が、閲覧者が閲覧している外部モニタ装置に表示されて閲覧されてしまう不都合を防止することができ、当該携帯電話機のユーザ（＝上記操作者）のプライベート情報を保護することができる。
【０１２５】
次に、上記ステップＳ１０５において、電話或いは電子メールの送信操作を検出すると、制御部４０は、処理をステップＳ１０６に進め、上記属性設定テーブルを参照することで、送信電話処理機能或いは送信メール処理機能に対して上記パブリック属性が設定されているか否かを判別する。そして、送信電話処理機能或いは送信メール処理機能に対して上記パブリック属性が設定されているものと判別した場合、処理をステップＳ１０７に進め、この電話の送信先となるユーザの電話番号や顔写真等の電話送信の情報を上記電話帳から検出して、現在表示中の表示情報と共に第１の表示部４に表示すると共に、該電話送信の情報を現在表示中の表示情報と共に上記外部モニタ装置に送信するように赤外線通信ユニット３４を送信制御し、或いは電子メールの送信先となるユーザの電子メールアドレスや顔写真等のメール送信の情報を上記電話帳から検出すると共に、送信した電子メールの表題、本文を検出し、現在、表示中の表示情報と共に第１の表示部４に表示すると共に、該メール送信の情報を現在表示中の表示情報と共に上記外部モニタ装置に送信するように赤外線通信ユニット３４を送信制御する。この場合、上記電話送信の情報やメール送信の情報は、上記第１の表示部４に表示されると共に、上記外部モニタ装置に表示されるため、上記操作者及び閲覧者の双方で閲覧されることとなる。
【０１２６】
これに対して、送信電話処理機能或いは送信メール処理機能に対して上記プライベート属性が設定されているものと判別した場合、制御部４０は、処理をステップＳ１０８に進め、この電話の送信先となるユーザの電話番号や顔写真等の電話送信の情報を上記電話帳から検出し、或いは上記電話帳から検出した上記電子メールの送信先となるユーザの電子メールアドレスや顔写真等やこの電子メールの表題や本文等のメール送信の情報を検出する。そして、第１の表示部４に対しては、この検出した電話送信の情報或いは電子メール送信の情報を、現在、表示中の表示情報と共に表示制御し、上記外部モニタ装置に対しては、上記検出した電話送信の情報或いは電子メール送信の情報を送信することなく、現在、表示中の表示情報のみを送信するように赤外線通信ユニット３４を送信制御する。
【０１２７】
これにより、送信電話処理機能或いは送信メール処理機能に対してプライベート属性が設定されていた場合には、第１の表示部４及び外部モニタ装置に対する表示情報の出力中に、電話送信或いは電子メール送信がなされても、この電話送信の情報やメール送信の情報を、操作者が閲覧している第１の表示部４に対してのみ表示することができるため、プライベート情報となる上記電話送信の情報やメール送信の情報が、閲覧者が閲覧している上記外部モニタ装置に表示され閲覧されてしまう不都合を防止することができ、当該携帯電話機のユーザ（＝上記操作者）のプライベート情報を保護することができる。
【０１２８】
次に、上記ステップＳ１０９において、他の表示情報の外部出力指示操作を検出すると、制御部４０は、処理をステップＳ１１０に進め、上記属性設定テーブルを参照することで、上記電話帳機能、スケジュール帳機能、写真フォルダ機能、動画フォルダ機能等の表示情報の外部出力を可能とする機能に対して、上記パブリック属性が設定されているか否かを判別する。そして、上記表示情報の外部出力を可能とする機能に対して上記パブリック属性が設定されているものと判別した場合、処理をステップＳ１１１に進め、ユーザにより外部出力が指定操作された上記他の表示情報を、対応するフォルダから読み出し、現在、表示中の表示情報と共に第１の表示部４に表示制御し、また、上記他の表示情報を、現在、表示中の表示情報と共に上記外部モニタ装置に送信するように赤外線通信ユニット３４を送信制御する。この場合、上記他の表示情報は、上記第１の表示部４及び上記外部モニタ装置に対してそれぞれ表示されるため、上記操作者及び閲覧者の双方で閲覧されることとなる。
【０１２９】
これに対して、上記表示情報の外部出力を可能とする機能に対して上記プライベート属性が設定されているものと判別した場合、制御部４０は、処理をステップＳ１１２に進め、ユーザにより外部出力が指定操作された上記他の表示情報を対応するフォルダから読み出す。そして、第１の表示部４に対しては、このフォルダから読み出した他の表示情報を、現在、表示中の表示情報と共に表示制御し、上記外部モニタ装置に対しては、上記他の表示情報を送信することなく、現在、送信中の表示情報のみを送信するように赤外線通信ユニット３４を送信制御する。
【０１３０】
これにより、上記表示情報の外部出力を可能とする機能に対してプライベート属性が設定されていた場合には、第１の表示部４及び上記外部モニタ装置に対する表示情報の出力中に、他の表示情報の出力指定操作がなされても、上記他の表示情報を、操作者が閲覧している第１の表示部４に対してのみ表示することができるため、プライベート情報となる上記他の表示情報が、閲覧者が閲覧している上記外部モニタ装置に表示され閲覧されてしまう不都合を防止することができ、当該携帯電話機のユーザ（＝上記操作者）のプライベート情報を保護することができる。
【０１３１】
制御部４０は、この図１０のフローチャートのステップＳ１１３において、操作部８の操作状況を監視することで、当該外部出力モードの終了指定操作がなされたか否かを判別しており、この終了指定操作がなされたタイミングで、このような外部出力モードを終了制御する。
【０１３２】
［実施例の効果］
以上の説明から明らかなように、この実施例の携帯電話機は、ＮＡＮＤ型フラッシュメモリ３９に記憶されている、各アプリケーションプログラムやいずれかのアプリケーションプログラムに基づいて表示処理される各表示情報に対して、外部に対して非公開であることを示すプライベート属性、或いは外部に対して公開可能であることを示すパブリック属性を設定しておく。
【０１３３】
操作部８を介して、ＮＡＮＤ型フラッシュメモリ３９に記憶されている表示情報のうち、外部のユーザに閲覧させるための表示情報が指定されると、制御部４０は、当該指定された表示情報に設定されている上記属性を検出し、この設定されている属性が上記パブリック属性であった場合のみ、上記指定された表示情報を外部のユーザに閲覧させるためのデバイスに出力するための外部出力部を出力制御すると共に、該指定された表示情報を第１の表示部４に出力制御する。これにより、当該携帯電話機のユーザは、第１の表示部４に表示されている上記指定した表示情報を閲覧し、他のユーザは、上記外部出力部を介して出力された表示情報を閲覧する状態となる。
【０１３４】
このような上記指定された表示情報の外部出力中に、上記いずれかのアプリケーションプログラムに対応する表示情報、或いは上記操作部を介して指定された上記ＮＡＮＤ型フラッシュメモリ３９に記憶されている他の表示情報の出力を行う場合、制御部４０は、当該アプリケーションプログラムに設定されている上記属性、或いは上記他の表示情報に設定されている上記属性を検出する。
【０１３５】
そして、当該アプリケーションプログラム或いは上記他の表示情報に対して上記プライベート属性が設定されていた場合は、上記外部出力中の上記指定された表示情報のみを上記外部に出力するように上記第２の表示部１０や近距離無線通信ユニット３３等の外部出力部を出力制御すると共に、当該アプリケーションプログラムに対応する上記表示情報、或いは上記他の表示情報を、上記外部出力中の上記指定された表示情報と共に上記第１の表示部４に表示制御する。
【０１３６】
これにより、プライベート属性が設定されているアプリケーションプログラムに対応する上記表示情報、或いは上記他の表示情報は、外部出力されることなく、当該携帯電話機の所有者のユーザが閲覧している上記第１の表示部４に対してのみ表示されるため、当該携帯電話機のユーザのプライベート情報が外部出力される不都合を防止することができる。
【０１３７】
これに対して、上記アプリケーションプログラム或いは上記他の表示情報に対して上記パブリック属性が設定されていた場合は、当該アプリケーションプログラムに対応する上記表示情報、或いは上記他の表示情報を、上記外部出力中の上記指定された表示情報と共に上記外部に出力するように上記外部出力部を出力制御すると共に、当該アプリケーションプログラムに対応する上記表示情報、或いは上記他の表示情報を、上記外部出力中の上記指定された表示情報と共に上記第１の表示部４に出力制御する。
【０１３８】
これにより、パブリック属性が設定されているアプリケーションプログラムに対応する上記表示情報、或いは上記他の表示情報は、当該携帯電話機のユーザが閲覧している第１の表示部４に対して表示されると共に、上記外部出力部を介して外部出力されるため、当該携帯電話機のユーザ及び他のユーザで、上記パブリック属性が設定されているアプリケーションプログラムに対応する上記表示情報、或いは上記他の表示情報を閲覧可能とすることができる。
【０１３９】
そして、上記外部出力される表示情報は、当該携帯電話機のユーザが閲覧している第１の表示部４に対して常に表示されるため、当該携帯電話機のユーザは、外部出力している表示情報を常に確認可能とすることができる。
【０１４０】
［変形例］
上述の実施例の説明では、本発明を携帯電話機に適用することとしたが、本発明を、ＰＨＳ電話機（PHS：Personal Handyphone System）、ＰＤＡ装置（PDA：Personal Digital Assistant）、携帯ゲーム機等の他の携帯機器に適用してもよい。いずれの場合も上述と同様の効果を得ることができる。
【０１４１】
最後に、上述の各実施例は、本発明の一例である。このため、本発明は上述の各実施例に限定されることはなく、本発明に係る技術的思想を逸脱しない範囲であれば、設計等に応じて種々の変更が可能であることは勿論であることを付け加えておく。
【符号の説明】
【０１４２】
１  上筐体、１ａ  上筐体の非露出面、１ｂ  上筐体の下端部、１ｃ  上筐体の上端部、１ｄ  上筐体１の露出面、２  下筐体、２ａ  下筐体の上端部、２ｂ  下筐体の非露出面、２ｃ  ２ｄ  下筐体の露出面、下筐体の下端部、３  ヒンジ部、４  第１の表示部、５  スピーカ部、６  補助カメラ部、７  赤外線通信ユニット、８  操作部、９  送話用のマイクロホン部、１０  第２の表示部、１１  メインカメラ部、１２  プロジェクタ、１３  バッテリ充電端子、１４  外部インターフェイス部（外部ＩＦ）、２１  発光部（ＬＥＤ：発光ダイオード）、２２  加速度センサ、２３  ジャイロセンサ、２４  照度センサ、２５  ＵＳＢ２．０コントローラ、２６  ＵＳＩＭカードスロット、２７  振動モータ、２８  バッテリ、２９  周辺ＩＣ＋電源ＩＣ、３０  通信回路、３１  通信回路のアンテナ、３２  非接触無線通信ユニット、３３  近距離無線通信ユニット、３４  赤外線通信ユニット、３５  メモリカードスロット、３６  メモリカードコントローラ、３７  内部メモリ、３８  ＤＤＲ  ＳＤＲＡＭ（Double Data Rate SDRAM）、３９  ＮＡＮＤ型フラッシュメモリ（NAND-type flash memory）、４０  制御部
【図１】
2010283519.tif 000003
【図２】
2010283519.tif 000004
【図３】
2010283519.tif 000005
【図４】
2010283519.tif 000006
【図５】
2010283519.tif 000007
【図６】
2010283519.tif 000008
【図７】
2010283519.tif 000009
【図８】
2010283519.tif 000010
【図９】
2010283519.tif 000011
【図１０】
2010283519.tif 000012
【図１１】
2010283519.tif 000013
【図１２】
2010283519.tif 000014
【図１３】
2010283519.tif 000015
【図１４】
2010283519.tif 000016